(57)【要約】【課題】利用者の健康状態に応じて光療法を行うことができる照明システムを提供する。【解決手段】照明システム１００は、光源部４３と、第一照射スケジュールにしたがって光源部４３に第一の光を出射させることにより空間５０内に第一エリア５１を形成し、第一エリア５１の形成と並行して、第二照射スケジュールにしたがって光源部４３に第二の光を出射させることにより、空間５０内に第二エリア５２を形成する照射制御部４２と、利用者の健康状態を示す健康状態情報を取得する通信部３３と、取得された健康状態情報に基づいて、利用者が、第一の光の照射対象となる第一対象者、及び、第二の光の照射対象となる第二対象者のいずれであるかの判断を行う判断部３２ａと、上記判断に基づいて、利用者が、第一対象者であるか第二対象者であるかを提示する提示部３４とを備える。【選択図】図２
2018125116.tif 000002
【特許請求の範囲】
【請求項１】
光源部と、
第一照射スケジュールにしたがって前記光源部に第一の光を出射させることにより空間内に前記第一の光が照射される第一エリアを形成し、前記第一エリアの形成と並行して、前記第一照射スケジュールとは異なる第二照射スケジュールにしたがって前記光源部に第二の光を出射させることにより、前記空間内に前記第二の光が照射される第二エリアを形成する照射制御部と、
利用者の健康状態を示す健康状態情報を取得する取得部と、
取得された前記健康状態情報に基づいて、前記利用者が、前記第一の光の照射対象となる第一対象者、及び、前記第二の光の照射対象となる第二対象者のいずれであるかの判断を行う判断部と、
前記判断の結果を提示する提示部とを備える
照明システム。
【請求項２】
前記判断部は、複数の前記利用者のそれぞれが、前記第一対象者であるか前記第二対象者であるかの前記判断を行い、
前記照射制御部は、前記判断部によって前記第一対象者であると判断された前記利用者の数、及び、前記判断部によって前記第二対象者であると判断された前記利用者の数に基づいて、前記第一エリア及び前記第二エリアの大きさを変更する
請求項１に記載の照明システム。
【請求項３】
前記取得部は、前記利用者の睡眠状態を示す前記健康状態情報を取得し、
前記判断部は、取得された前記健康状態情報に基づいて、前記利用者が、前記第一対象者、及び、前記第一対象者よりも睡眠相が前進傾向である前記第二対象者のいずれであるかの判断を行い、
前記第一照射スケジュールは、前記第一エリアにおける照度を、少なくとも一部が午前中に属する第一期間において午後に属する第二期間よりも明るくする照射スケジュールであり、
前記第二照射スケジュールは、前記第二エリアにおける照度を、少なくとも一部が午前中に属する第三期間において午後に属する第四期間よりも暗くする照射スケジュールである
請求項１または２に記載の照明システム。
【請求項４】
前記第一照射スケジュールは、前記第一期間に第一の色の前記第一の光を照射させ、前記第二期間に前記第一の色よりも青色の成分が少ない第二の色の前記第一の光を照射させる照射スケジュールであり、
前記第二照射スケジュールは、前記第三期間に前記第二の色の前記第二の光を照射させ、前記第四期間に前記第一の色の前記第二の光を照射させる照射スケジュールである
請求項３に記載の照明システム。
【請求項５】
前記取得部は、前記利用者の認知症の程度を示す前記健康状態情報を取得し、
前記判断部は、取得された前記健康状態情報に基づいて、前記利用者が、前記第一対象者、及び、前記第一対象者よりも認知症の程度が重い前記第二対象者のいずれであるかの判断を行い、
前記第一照射スケジュールは、所定期間における積算照度が前記第二照射スケジュールよりも高い照射スケジュールである
請求項１または２に記載の照明システム。
【請求項６】
前記取得部は、前記利用者の活動量を示す前記健康状態情報を取得し、
前記判断部は、取得された前記健康状態情報に基づいて、前記利用者が、前記第一対象者、及び、前記第一対象者よりも活動量が低い前記第二対象者のいずれであるかの判断を行い、
前記第一照射スケジュールは、所定期間における積算照度が前記第二照射スケジュールよりも高い照射スケジュールである
請求項１または２に記載の照明システム。
【請求項７】
前記第一照射スケジュールは、前記第一エリアにおける照度を、少なくとも一部が午前中に属する第一期間において午後に属する第二期間よりも明るくする照射スケジュールであり、
前記第二照射スケジュールは、前記第二エリアにおける照度を、前記第一期間において前記第二期間よりも明るくする照射スケジュールである
請求項５または６に記載の照明システム。
【請求項８】
前記第一の光の色は、前記第二の光の色よりも青色成分が少ない
請求項５〜７のいずれか１項に記載の照明システム。
【請求項９】
前記提示部は、前記判断の結果を表示するディスプレイである
請求項１〜８のいずれか１項に記載の照明システム。
【請求項１０】
光源部と、
前記光源部に光を出射させることにより空間内に前記光が照射される照射エリアを形成する照射制御部と、
利用者の睡眠状態を示す情報を取得する取得部と、
取得された前記情報に基づいて、前記利用者を前記照射エリアに滞在させる時間帯を決定する決定部と、
前記決定部によって決定された前記時間帯を提示する提示部とを備える
照明システム。
【請求項１１】
前記決定部は、取得された前記情報に基づいて、前記利用者が第一対象者である場合には少なくとも一部が午前中に属する第一期間を前記時間帯として決定し、前記利用者が前記第一対象者よりも睡眠相が前進傾向である第二対象者である場合、午後に属する第二期間を前記時間帯として決定する
請求項１０に記載の照明システム。
【発明の詳細な説明】
【技術分野】
【０００１】
本発明は、光療法に用いられる照明システムに関する。
【背景技術】
【０００２】
従来、光の照射によって利用者の健康状態を改善する光療法が提案されている。特許文献１には、睡眠時の光環境を太陽光による自然の光サイクルに近づけることにより、利用者が質の良い睡眠をとることのできる睡眠室が開示されている。
【先行技術文献】
【特許文献】
【０００３】
【特許文献１】特開２０１５−２８３２号公報
【発明の概要】
【発明が解決しようとする課題】
【０００４】
ところで、老人福祉施設などの施設において光療法を行う場合、当該施設には様々な健康状態の利用者がいるため、より効果的な光療法を行うためには、利用者の健康状態に応じて光の照射スケジュール(光照射のタイミング及び照度など)を調整する必要がある。しかしながら、光療法はまだまだ一般的とは言い難く、光療法に対する専門的な知識を有しない老人福祉施設のスタッフが利用者の健康状態に応じて照射スケジュールを調整することは困難である。
【０００５】
本発明は、利用者の健康状態に応じて光療法を行うことができる照明システムを提供する。
【課題を解決するための手段】
【０００６】
本発明の一態様に係る照明システムは、光源部と、第一照射スケジュールにしたがって前記光源部に第一の光を出射させることにより空間内に前記第一の光が照射される第一エリアを形成し、前記第一エリアの形成と並行して、前記第一照射スケジュールとは異なる第二照射スケジュールにしたがって前記光源部に第二の光を出射させることにより、前記空間内に前記第二の光が照射される第二エリアを形成する照射制御部と、利用者の健康状態を示す健康状態情報を取得する取得部と、取得された前記健康状態情報に基づいて、前記利用者が、前記第一の光の照射対象となる第一対象者、及び、前記第二の光の照射対象となる第二対象者のいずれであるかの判断を行う判断部と、前記判断の結果を提示する提示部とを備える。
【発明の効果】
【０００７】
本発明の一態様に係る照明システムは、利用者の健康状態に応じて光療法を行うことができる。
【図面の簡単な説明】
【０００８】
【図１】図１は、実施の形態１に係る照明システムの概要を示す図である。
【図２】図２は、実施の形態１に係る照明システムの機能構成を示すブロック図である。
【図３】図３は、実施の形態１に係る提示部によって表示される画像の一例を示す図である。
【図４】図４は、実施の形態１に係る照明システムの動作例のシーケンス図である。
【図５】図５は、睡眠相が前進傾向でない第一対象者の睡眠時間帯を示す図である。
【図６】図６は、睡眠相が前進傾向である利用者の睡眠時間帯を示す図である。
【図７】図７は、健康状態情報が利用者の睡眠状態を示す場合に用いられる第一照射スケジュールの一例を示す図である。
【図８】図８は、健康状態情報が利用者の睡眠状態を示す場合に用いられる第二照射スケジュールの一例を示す図である。
【図９】図９は、第一色温度の光の発光スペクトルの一例を示す図である。
【図１０】図１０は、第二色温度の光の発光スペクトルの一例を示す図である。
【図１１】図１１は、健康状態情報が利用者の認知症の程度を示す場合に用いられる第一照射スケジュールの一例を示す図である。
【図１２】図１２は、健康状態情報が利用者の認知症の程度を示す場合に用いられる第二照射スケジュールの一例を示す図である。
【図１３】図１３は、照射制御部による、第一エリア及び第二エリアの大きさの変更を説明するための図である。
【図１４】図１４は、睡眠相後退かつ重度認知症であると判断された利用者向けの照射スケジュールである。
【図１５】図１５は、睡眠相前進かつ軽度認知症であると判断された利用者向けの照射スケジュールを示す図である。
【図１６】図１６は、提示装置による提示の変形例を示す図である。
【図１７】図１７は、実施の形態２に係る照明システムの概要を示す図である。
【図１８】図１８は、実施の形態２に係る照明システムの機能構成を示すブロック図である。
【図１９】図１９は、実施の形態１に係る提示部によって表示される画像の一例を示す図である。
【発明を実施するための形態】
【０００９】
以下、実施の形態について、図面を参照しながら説明する。なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００１０】
なお、各図は模式図であり、必ずしも厳密に図示されたものではない。また、各図において、実質的に同一の構成に対しては同一の符号を付し、重複する説明は省略または簡略化される場合がある。
【００１１】
（実施の形態１）
［照明システムの概要］
まず、実施の形態１に係る情報提示システムの全体構成について説明する。図１は、実施の形態１に係る照明システムの概要を示す図である。図２は、実施の形態１に係る照明システムの機能構成を示すブロック図である。
【００１２】
図１及び図２に示される照明システム１００は、老人福祉施設などにおける、談話室または食堂など、複数の利用者が同時に滞在することができる空間５０において、光療法を行うためのシステムである。照明システム１００は、健康状態取得装置１０ａ〜１０ｄと、管理装置２０と、提示装置３０と、照明装置４０とを備える。
【００１３】
照明システム１００において、健康状態取得装置１０ａは、例えば、利用者Ａ〜Ｄの個室５０ａ〜５０ｄに配置され、利用者Ａ〜Ｄの健康状態を示す健康状態情報を取得する。取得された利用者Ａ〜Ｄの健康状態情報は、管理装置２０によって収集され、管理装置２０が備える記憶部２３に蓄積される。
【００１４】
光施療は、例えば、施設のスタッフＳが提示装置３０を操作することにより開始される。スタッフＳが提示装置３０を操作すると、照明装置４０が光療法に用いられる所定の照射スケジュールにしたがって発光する。このとき、照明装置４０は、利用者Ａ〜Ｄに当該利用者の健康状態に応じた光を照射するために、少なくとも２種類の照射エリアを形成する。
【００１５】
具体的には、照明装置４０が備える光源の一部は、第一照射スケジュールにしたがって第一の光を出射することにより空間５０内に第一の光が照射される第一エリア５１を形成する。また、第一エリア５１の形成と並行して、照明装置４０が備える光源の他の一部は、第二照射スケジュールにしたがって第二の光を出射することにより空間５０内に第二の光が照射される第二エリア５２を形成する。つまり、空間５０内には並行して（同時に）第一の光及び第二の光が照射され、第一エリア５１及び第二エリアが並行して（同時に）形成される。第一エリア５１は、第二エリア５２と異なる場所に形成されるが、部分的に第二エリア５２と重なっていてもよい。
【００１６】
また、提示装置３０は、管理装置２０の記憶部２３に蓄積された健康状態情報に基づいて、利用者Ａ〜Ｄのそれぞれが第一の光の照射対象となる第一対象者、及び、第二の光の照射対象となる第二対象者のいずれであるかを判断し、判断結果を提示部３４（ディスプレイ）に提示（表示）する。
【００１７】
提示部３４は、具体的には、図３に示されるような画像を表示する。図３は、提示部３４によって表示される画像の一例を示す図である。このような画像により、スタッフＳは、第一エリア５１に配置された第一テーブルの座席に利用者Ａ及び利用者Ｂを誘導して着席させ、第二エリア５２に配置された第二テーブルの座席に利用者Ｂ及び利用者Ｃを誘導して着席させることができる。
【００１８】
このように、照明システム１００によれば、スタッフＳに光療法に関する専門的な知識がなくても、利用者は、当該利用者の健康状態に応じた光療法を受けることができる。以下、照明システム１００が備える各装置の詳細な構成について、引き続き図１及び図２を参照しながら説明する。
【００１９】
［健康状態取得装置］
まず、健康状態取得装置１０ａ〜１０ｄについて説明する。なお、以下では健康状態取得装置１０ａについて説明するが、健康状態取得装置１０ｂ〜１０ｄについても同様の構成である。
【００２０】
健康状態取得装置１０ａは、例えば、施設内の利用者Ａの個室５０ａに配置され、利用者Ａの健康状態を示す健康状態情報を取得する装置である。健康状態取得装置１０ａは、健康状態取得部１１と、通信部１２とを備える。
【００２１】
健康状態取得部１１は、利用者Ａの健康状態を示す健康状態情報を取得する。健康状態情報は、例えば、利用者Ａの睡眠状態を示す情報、利用者Ａの認知症の程度を示す情報、または、利用者Ａの活動量を示す情報などであるが、特に限定されない。健康状態情報が利用者Ａの睡眠状態を示す場合、健康状態取得部１１は、例えば、マット（シート）型のセンサを含む睡眠計であり、睡眠計は、当該センサの上に利用者Ａがいるかどうかを検知する。健康状態取得部１１は、センサの上に利用者Ａがいる時間、つまり、利用者Ａが睡眠中の時間を検知する。言い換えれば、健康状態取得部１１は、利用者Ａが睡眠中の時間を、睡眠状態を示す情報（健康状態情報）として取得する。取得された健康状態情報（検知された睡眠中の時間）は、通信部１２によって管理装置２０に送信される。
【００２２】
通信部１２は、健康状態情報を管理装置２０に送信する。通信部１２は、具体的には、健康状態取得装置１０ａが管理装置２０と通信を行うための通信モジュール（通信回路）である。なお、健康状態取得装置１０ａ及び管理装置２０の間で行われる通信は、有線通信であってもよいし、無線通信であってもよい。通信に用いられる通信規格についても特に限定されない。
【００２３】
［管理装置］
次に、管理装置２０について説明する。管理装置２０は、健康状態取得装置１０ａ〜１０ｄから利用者Ａ〜Ｄの健康状態情報を受信し、受信した健康状態情報を蓄積（記憶）する。また、管理装置２０は、提示装置３０から健康状態情報の要求を受信すると、受信された要求に応じて健康状態情報を提示装置３０に送信する。管理装置２０は、例えば、上記施設内に設置されたサーバであるが、施設外に設置されたクラウドサーバであってもよい。管理装置２０は、具体的には、通信部２１と、制御部２２と、記憶部２３とを備える。
【００２４】
通信部２１は、健康状態取得装置１０ａ〜１０ｄから利用者Ａ〜Ｄの健康状態情報を受信する。また、通信部２１は、制御部２２の制御に基づいて記憶部２３に記憶された健康状態情報を提示装置３０に送信する。通信部２１は、具体的には、管理装置２０が健康状態取得装置１０ａ〜１０ｄ、及び、提示装置３０と通信を行うための通信モジュール（通信回路）である。
【００２５】
なお、管理装置２０及び健康状態取得装置１０ａの間で行われる通信は、有線通信であってもよいし、無線通信であってもよい。通信に用いられる通信規格についても特に限定されない。管理装置２０及び提示装置３０の間で行われる通信は、有線通信であってもよいし、無線通信であってもよい。通信に用いられる通信規格についても特に限定されない。管理装置２０及び健康状態取得装置１０ａ〜１０ｄの間の通信規格と、管理装置２０及び提示装置３０の間の通信規格とが異なるような場合、通信部２１は、複数種類の通信モジュール（通信回路）によって構成されてもよい。
【００２６】
制御部２２は、記憶部２３への健康状態情報の記憶などの情報処理を行う。また、制御部２２は、通信部２１が健康状態情報の要求を受信すると、要求に応じた健康状態情報を記憶部２３から読み出し、読み出した健康状態情報を通信部２１に送信させる。制御部２２は、具体的には、プロセッサ、マイクロコンピュータ、または専用回路などによって実現される。
【００２７】
記憶部２３には、通信部２１によって受信された健康状態情報が記憶される記憶装置である。健康状態情報は、利用者Ａ〜Ｄのいずれの利用者のものであるかを区別できるように、利用者ごとに異なる識別子が付与された状態で記憶される。なお、記憶部２３には、その他に、制御部１３が実行する制御プログラムなども記憶されている。記憶部２３は、具体的には、ＨＤＤ（Ｈａｒｄ  Ｄｉｓｃ  Ｄｒｉｖｅ）または半導体メモリなどにより実現される。
【００２８】
［提示装置］
次に、提示装置３０について説明する。提示装置３０は、管理装置２０に記憶された健康状態情報に基づいて、利用者Ａ〜Ｄのそれぞれが、第一の光の照射対象となる第一対象者、及び、第二の光の照射対象となる第二対象者のいずれであるかを提示する。つまり、提示装置は、利用者Ａ〜Ｄのそれぞれが第一エリア５１に配置された第一テーブルに着席すべき第一対象者、及び、第二エリア５２に配置された第二テーブルに着席すべき第二対象者のいずれであるかをスタッフＳに提示する。また、提示装置３０は、照明装置４０のコントローラとしても機能する。
【００２９】
提示装置３０は、例えば、照明システム１００に対する専用装置であって、空間５０内に設置される。提示装置３０は、空間５０以外の場所に設置されてもよい。提示装置３０は、スマートフォンまたはタブレット端末などの汎用装置であってもよい。提示装置３０は、操作受付部３１と、制御部３２と、通信部３３と、提示部３４と、記憶部３５とを備える。
【００３０】
操作受付部３１は、光療法を開始するためのスタッフＳの所定の操作を受け付ける。操作受付部３１は、タッチパネル、及び、ハードウェアボタンなどによって実現される。
【００３１】
制御部３２は、操作受付部３１によって所定の操作が受け付けられると、通信部３３に照明装置４０を制御するための制御信号を送信させる。
【００３２】
また、制御部３２は、操作受付部３１によって所定の操作が受け付けられると、通信部３３に健康状態情報の要求を送信させる。また、この要求が送信された結果、管理装置２０によって送信された健康状態情報を通信部３３が取得すると、制御部３２が備える判断部３２ａは、取得された健康状態情報に基づいて、利用者Ａ〜Ｄが、第一対象者及び第二対象者のいずれであるかの判断を行う。
【００３３】
制御部３２（判断部３２ａ）は、具体的には、プロセッサ、マイクロコンピュータ、または専用回路などによって実現される。
【００３４】
通信部３３は、制御部３２の制御に基づいて、制御信号を照明装置４０に送信し、かつ、健康状態情報の要求を管理装置２０に送信する。また、通信部３３は、取得部の一例であって、管理装置２０から健康状態情報を取得（受信）する。通信部３３は、具体的には、提示装置３０が、管理装置２０及び照明装置４０と通信を行うための通信モジュール（通信回路）である。
【００３５】
なお、提示装置３０及び管理装置２０の間で行われる通信は、有線通信であってもよいし、無線通信であってもよい。通信に用いられる通信規格についても特に限定されない。提示装置３０及び照明装置４０の間で行われる通信は、有線通信であってもよいし、無線通信であってもよい。通信に用いられる通信規格についても特に限定されない。提示装置３０及び管理装置２０の間の通信規格と、提示装置３０及び照明装置４０の間の通信規格とが異なるような場合、通信部３３は、複数種類の通信モジュール（通信回路）によって構成されてもよい。
【００３６】
提示部３４は、判断部３２ａが行った判断の結果を提示する。つまり、提示部３４は、利用者Ａ〜Ｄのそれぞれが、第一対象者であるか第二対象者であるかを提示する。提示部３４は、具体的には、例えば、利用者Ａ〜Ｄのそれぞれが第一対象者であるか第二対象者であるかを表示するディスプレイであり、図３に示されるような画像を表示する。
【００３７】
記憶部３５は、制御部３２の制御プログラム等が記憶される記憶装置である。記憶部３５は、具体的には、半導体メモリなどにより実現される。
【００３８】
［照明装置］
照明装置４０は、空間５０内を照明する装置であり、光療法用の第一の光及び第二の光を発する装置である。照明装置４０は、通信部４１と、照射制御部４２と、光源部４３と、記憶部４５とを備える。
【００３９】
通信部４１は、提示装置３０によって送信される制御信号を無線通信によって受信（取得）する。通信部４１は、具体的には、照明装置４０が、提示装置３０と通信を行うための通信モジュール（通信回路）である。照明装置４０及び提示装置３０の間で行われる通信は、有線通信であってもよいし、無線通信であってもよい。通信に用いられる通信規格についても特に限定されない。
【００４０】
なお、実施の形態１では、照明装置４０は、提示装置３０への操作に応じて動作する。つまり、照明装置４０は、通信部４１が受信した制御信号に基づいて動作する。しかしながら、照明装置４０は、専用の操作パネルを備えることにより、提示装置３０とは独立に動作してもよい。この場合、通信部４１は省略されてもよい。
【００４１】
照射制御部４２は、通信部４１によって制御信号が受信されると、第一照射スケジュールにしたがって光源部４３に第一の光を出射させることにより空間５０内に第一の光が照射される第一エリア５１を形成する。また、照射制御部４２は、第一エリア５１の形成と並行して、第一照射スケジュールとは異なる第二照射スケジュールにしたがって光源部４３に第二の光を出射させることにより、空間５０内に第二の光が照射される第二エリア５２を形成する。図１の例では、照射制御部４２は、第一照射スケジュールにしたがって光源部４３の第一光源４３ａ及び第二光源４３ｂに第一の光を出射させることにより空間５０内に第一エリア５１を形成する。照射制御部４２は、第二照射スケジュールにしたがって光源部４３の第三光源４３ｃ及び第四光源４３ｄに第二の光を出射させることにより空間５０内に第二エリア５２を形成する。
【００４２】
照射制御部４２は、具体的には、プロセッサ、マイクロコンピュータ、または専用回路などによって実現される。なお、第一照射スケジュール及び第二照射スケジュールは、例えば、時刻と、当該時刻における光源部４３の光強度（明るさ）の値との対応関係を示す情報であり、あらかじめ記憶部４５に記憶されている。照射制御部４２は、記憶部４５に記憶された第一照射スケジュール及び第二照射スケジュールを読み出して使用する。
【００４３】
光源部４３は、照射制御部４２によって制御される光源である。図１及び図２の例では、光源部４３は、第一光源４３ａ、第二光源４３ｂ、第三光源４３ｃ、及び、第四光源４３ｄを備える。なお、光源部４３が備える光源の数など、光源部４３の具体的な構成は、特に限定されず、光源部４３は、第一の光及び第二の光を並行して出射することにより、第一エリア５１及び第二エリア５２を空間５０内の異なる位置に並行して形成できればよい。
【００４４】
第一光源４３ａ、第二光源４３ｂ、第三光源４３ｃ、及び、第四光源４３ｄのそれぞれは、空間５０を規定する天井に取り付けられて空間５０を照明するシーリングライトである。第一光源４３ａ、第二光源４３ｂ、第三光源４３ｃ、及び、第四光源４３ｄのそれぞれは、例えば、平面視形状が円形のシーリングライトであるが、長尺状のシーリングライトであってもよいし、ダウンライトまたはスポットライトなどであってもよい。
【００４５】
第一光源４３ａ、第二光源４３ｂ、第三光源４３ｃ、及び、第四光源４３ｄのそれぞれは、白色光を発する。第一光源４３ａ、第二光源４３ｂ、第三光源４３ｃ、及び、第四光源４３ｄのそれぞれは、少なくとも調光（照度（明るさ）の調整）に対応した光源である。第一光源４３ａ、第二光源４３ｂ、第三光源４３ｃ、及び、第四光源４３ｄのそれぞれは、調色（色温度の調整）に対応していてもよい。
【００４６】
また、第一光源４３ａ、第二光源４３ｂ、第三光源４３ｃ、及び、第四光源４３ｄのそれぞれは、白色光に代えて、または、白色光に加えて単色光を出射可能であってもよい。例えば、光源部４３に青色の単色光を出射させる光療法が考えられる。
【００４７】
計時部４４は、現在時刻を計測する計時装置であり、計測した時刻を照射制御部４２に通知する。計時部４４は、照射制御部４２が光源部４３を照射スケジュールにしたがって発光させるために用いられる。計時部４４は、具体的には、リアルタイムクロックＩＣなどであるが、どのような態様であってもよい。
【００４８】
記憶部４５は、第一照射スケジュール及び第二照射スケジュールなどが記憶される記憶装置である。記憶部４５は、具体的には、半導体メモリなどによって実現される。
【００４９】
［動作］
次に、照明システム１００の動作について説明する。図４は、照明システム１００の動作例のシーケンス図である。なお、図４では、説明の簡略化のため、健康状態取得装置１０ｂ〜１０ｄの図示は省略されている。
【００５０】
まず、健康状態取得装置１０ａは、健康状態情報の取得を行う。健康状態取得装置１０ａの健康状態取得部１１は、利用者Ａの健康状態を示す健康状態情報を取得し（Ｓ１１）、通信部１２は、健康状態情報を管理装置２０に送信する（Ｓ１２）。なお、図４では図示されないが、健康状態取得装置１０ｂ〜１０ｄからも健康状態情報の送信が行われる。
【００５１】
管理装置２０の通信部２１は、通信部１２によって送信された健康状態情報を受信する（Ｓ２１）。なお、図示されないが、通信部２１は、健康状態取得装置１０ｂ〜１０ｄからも健康状態情報を受信する。制御部２２は、通信部１２によって受信された健康状態情報を記憶する（Ｓ２２）。
【００５２】
一方、提示装置３０の操作受付部３１がスタッフＳの所定の操作（光療法を開始するための操作）を受け付けると（Ｓ３１）、通信部３３は、制御部３２の制御に基づいて健康状態情報の要求を送信する（Ｓ３２）。管理装置２０の通信部２１が健康状態情報の要求を受信すると（Ｓ２３）、通信部２１は、制御部２２の制御に基づいて健康状態情報を送信する。このとき、通信部２１は、例えば、利用者Ａ〜Ｄの４人分の健康状態情報を送信する（Ｓ２４）。
【００５３】
提示装置３０の通信部３３が健康状態情報を取得すると（Ｓ３３）、判断部３２ａは、判断処理を行う（Ｓ３４）。判断部３２ａは、具体的には、取得された健康状態情報に基づいて、利用者Ａ〜Ｄのそれぞれが、第一対象者及び第二対象者のいずれであるかの判断を行う。例えば、判断部３２ａは、利用者Ａ及び利用者Ｂを第一対象者であると判断し、利用者Ｃ及び利用者Ｄを第二対象者であると判断する。
【００５４】
提示部３４は、判断部３２ａの判断の結果を提示する提示処理を行う（Ｓ３５）。提示部３４は、具体的には、利用者Ａ〜Ｄのそれぞれが、第一対象者及び第二対象者のいずれであるかを提示する。提示部３４は、さらに具体的には、図３に示されるような画像を提示する。
【００５５】
また、通信部３３は、制御部３２の制御に基づいて照明装置４０を制御するための制御信号を送信する（Ｓ３６）。
【００５６】
照明装置４０の通信部４１が、制御信号を受信すると（Ｓ４１）、照射制御部４２は、第一照射スケジュール及び第二照射スケジュールに基づく光の照射を開始する（Ｓ４２）。照射制御部４２は、具体的には、記憶部４５に記憶された第一照射スケジュールを参照することにより、計時部４４によって通知される現在時刻において出射されるべき光強度を特定する。照射制御部４２は、特定した光強度で第一の光が照射されるように第一光源４３ａ及び第二光源４３ｂを発光させる。
【００５７】
同様に、照射制御部４２は、記憶部４５に記憶された第二照射スケジュールを参照することにより、計時部４４によって通知される現在時刻において出射されるべき光強度を特定する。照射制御部４２は、特定した光強度で第二の光が照射されるように第三光源４３ｃ及び第四光源４３ｄを発光させる。
【００５８】
以上のような動作を行う照明システム１００においては、スタッフＳが提示部３４の提示に基づいて利用者を第一エリア５１または第二エリア５２に誘導すれば、利用者は、当該利用者の健康状態に応じた光療法を受けることができる。つまり、照明システム１００は、利用者の健康状態に応じて光療法を行うことができる。
【００５９】
［具体例１］
次に、照明システム１００の動作のより具体的な例について説明する。具体例１では、健康状態情報が利用者の睡眠状態を示す場合について説明する。
【００６０】
まず、健康状態取得装置１０ａについて説明する。上述のように、健康状態情報が利用者の睡眠状態を示す場合、健康状態取得装置１０ａ（健康状態取得部１１）は、例えば、マット（シート）型のセンサを含む睡眠計である。睡眠計は、当該センサの上に利用者Ａがいるかどうかを検知し、センサの上に利用者Ａがいる時間、つまり、利用者Ａが睡眠中の時間を検知（取得）する。
【００６１】
なお、健康状態取得部１１は、カメラ等の撮像部及び画像処理部であってもよい。この場合の健康状態取得部１１は、撮像部によって撮像されたベッド状の画像を画像処理部が画像処理することにより、ベッドに利用者Ａがいると判定した時間を、利用者Ａが睡眠中の時間として検知（取得）する。
【００６２】
次に、判断部３２ａによる判断基準について説明する。健康状態情報が利用者の睡眠状態を示す場合、図４のステップＳ３３において、通信部３３は、利用者Ａ〜Ｄの睡眠状態を示す健康状態情報を取得する。図４のステップＳ３４においては、判断部３２ａは、取得された健康状態情報に基づいて、利用者Ａ〜Ｄのそれぞれが、睡眠相が前進傾向でない第一対象者、及び、第一対象者よりも睡眠相が前進傾向である第二対象者のいずれであるかの判断を行う。図５は、睡眠相が前進傾向でない第一対象者の睡眠時間帯を示す図であり、図６は、睡眠相が前進傾向である第二対象者の睡眠時間帯を示す図である。
【００６３】
図５及び図６に示されるように、睡眠相が前進傾向でない第一対象者は、全睡眠時間のうち夜間（日の入りから日の出まで）に属する睡眠時間が比較的多い。一方で、睡眠相が前進傾向である第二対象者は、全睡眠時間のうち日中（日の出から日の入りまで）に属する睡眠時間が比較的多い。
【００６４】
そこで、判断部３２ａは、例えば、利用者の睡眠状態を示す健康状態情報に基づいて、全睡眠時間に対して夜間に属する睡眠時間が所定の割合以上である場合に、当該利用者が、睡眠相が前進傾向でない第一対象者であると判断する。判断部３２ａは、例えば、利用者の睡眠状態を示す健康状態情報に基づいて、全睡眠時間に対して夜間に属する睡眠時間が所定の割合未満である場合に、当該利用者が、睡眠相が前進傾向である第二対象者であると判断する。
【００６５】
次に、健康状態情報が利用者の睡眠状態を示す場合に用いられる第一照射スケジュール及び第二照射スケジュールについて説明する。図７は、第一照射スケジュールの一例を示す図であり、図８は、第二照射スケジュールの一例を示す図である。なお、図７において縦軸は第一エリア５１内の所定位置（例えば、第一テーブルの机上面）における照度を示す。図８において、縦軸は第二エリア５２内の所定位置（例えば、第二テーブルの机上面）における照度を示す。図７及び図８において、横軸は時刻を示す。
【００６６】
図７に示される第一照射スケジュールは、第一エリア５１における照度を、第一期間Ｔ１１において第二期間Ｔ１２よりも明るくする照射スケジュールである。第一期間Ｔ１１は、例えば、８：００頃から１４：００頃までの期間であり、少なくとも一部が午前中に属する期間である。第二期間Ｔ１２は、１４：００頃から１９：００頃までの期間であり、全部が午後に属する期間である。第一期間Ｔ１１における照度Ｌ１１は、第二期間Ｔ１２における照度Ｌ１２の２倍程度である。
【００６７】
第一対象者は、睡眠相が前進傾向でない。このため、第一対象者は、第一照射スケジュールに基づいて午後よりも午前中に明るい光を浴びることで、生活リズムを維持して快適に過ごすことができる。
【００６８】
一方、図８に示される第二照射スケジュールは、第二エリア５２における照度を、第三期間Ｔ１３において第四期間Ｔ１４よりも暗くする照射スケジュールである。第三期間Ｔ１３は、例えば、８：００頃から１４：００頃までの期間であり、少なくとも一部が午前中に属する期間である。第四期間Ｔ１４は、１６：００頃から１９：００頃までの期間であり、全部が午後の中でも比較的早い時間帯に属する期間である。第三期間Ｔ１３における照度Ｌ１３は、第四期間Ｔ１４における照度Ｌ１４の２分の１程度である。
【００６９】
第二対象者は、睡眠相が前進傾向である。このため、第二対象者は、第二照射スケジュールに基づいて午後の早い時間帯に明るい光を浴びることで、睡眠相を通常状態（睡眠相が前進傾向でない状態）に近づけることができる。つまり、第二対象者の生活リズムの改善が図られる。
【００７０】
なお、光源部４３が調色に対応している場合、第一照射スケジュール及び第二照射スケジュールのそれぞれにおいて発光色が変更されてもよい。
【００７１】
例えば、第一照射スケジュールは、第一期間Ｔ１１に第一の色の第一の光を照射させ、第二期間Ｔ１２に第一の色よりも青色の成分が少ない第二の色の第一の光を照射させる照射スケジュールであってもよい。青色の成分とは、例えば、波長が４６０ｎｍ以上４９０ｎｍ以下の成分である。
【００７２】
第一の色は、具体的には、例えば、第一色温度であり、第二の色は、具体的には、例えば、第二色温度である。図９は、第一色温度の光の発光スペクトルの一例を示す図であり、図１０は、第二色温度の光の発光スペクトルの一例を示す図である。
【００７３】
このように、第一照射スケジュールにおいて、比較的明るい光が照射される期間において青色の成分が多い光が照射されることにより、光療法の効果を高めることができる。
【００７４】
同様に、第二照射スケジュールは、第三期間Ｔ１３に第二色温度（第二の色）の第二の光を照射させ、第四期間に第一色温度（第一の色）の第二の光を照射させる照射スケジュールであってもよい。
【００７５】
このように、第二照射スケジュールにおいても、比較的明るい光が照射される期間において青色の成分が多い光が照射されることにより、光療法の効果を高めることができる。
【００７６】
［具体例２］
具体例２では、健康状態情報が利用者の認知症の程度を示す場合について説明する。
【００７７】
まず、健康状態取得装置１０ａについて説明する。健康状態情報が利用者の認知症の程度を示す場合、健康状態取得装置１０ａは、例えば、スマートフォン、タブレット端末、またはパーソナルコンピュータである。利用者Ａ〜Ｄは、例えば、ＭＭＳＥ（Ｍｉｎｉ−Ｍｅｎｔａｌ  Ｓｔａｔｅ  Ｅｘａｍｉｎａｔｉｏｎ）、または、長谷川式簡易知能評価スケールなどの認知症のテストを受検し、受検結果（スコア）を健康状態取得装置１０ａに入力する。この場合、健康状態取得部１１は、タッチパネルまたはキーボードなどのユーザインターフェースである。なお、健康状態取得装置１０ａ（情報端末）を通じて直接認知症のテストが行われてもよい。
【００７８】
次に、判断部３２ａによる判断基準について説明する。健康状態情報が利用者の認知症の程度を示す場合、図４のステップＳ３３において、通信部３３は、利用者Ａ〜Ｄの認知症の程度を示す健康状態情報を取得する。図４のステップＳ３４においては、判断部３２ａは、取得された健康状態情報に基づいて、利用者Ａ〜Ｄのそれぞれが、認知症の程度が軽い第一対象者、及び、第一対象者よりも認知症の程度が重い第二対象者のいずれであるかの判断を行う。判断部３２ａは、例えば、閾値を用いて第一対象者及び第二対象者を判断する。認知症テストのスコアが高いほど認知症の程度が重いことを示す場合、判断部３２ａは、認知症テストのスコアが閾値未満である利用者を第一対象者であると判断し、認知症テストのスコアが閾値以上である利用者を第二対象者であると判断する。
【００７９】
次に、健康状態情報が利用者の認知症の程度を示す場合に用いられる第一照射スケジュール及び第二照射スケジュールについて説明する。図１１は、第一照射スケジュールの一例を示す図であり、図１２は、第二照射スケジュールの一例を示す図である。なお、図１１において縦軸は第一エリア５１内の所定位置（例えば、第一テーブルの机上面）における照度を示す。図１２において、縦軸は第二エリア５２内の所定位置（例えば、第二テーブルの机上面）における照度を示す。図１１及び図１２において、横軸は時刻を示す。
【００８０】
図１１に示される第一照射スケジュールは、第一エリア５１における照度を、第一期間Ｔ２１において第二期間Ｔ２２よりも明るくする照射スケジュールである。第一期間Ｔ２１は、例えば、８：００頃から１４：００頃までの期間であり、少なくとも一部が午前中に属する期間である。第二期間Ｔ２２は、１４：００頃から１９：００頃までの期間であり、全部が午後に属する期間である。第一期間Ｔ２１における照度Ｌ２１は、第二期間Ｔ１２における照度Ｌ２２の１．６〜１．７倍程度である。
【００８１】
一方、図１２に示される第二照射スケジュールは、第二エリア５２における照度を、第一期間Ｔ２１において第二期間Ｔ２２よりも明るくする照射スケジュールである。第一期間Ｔ２１における照度Ｌ２３は、第二期間Ｔ２２における照度Ｌ２４の２倍以上程度である。
【００８２】
第一照射スケジュールと第二照射スケジュールとを比較すると、第一照射スケジュールは、所定期間（例えば第一期間及び第二期間を合わせた期間）における積算照度が第二照射スケジュールよりも高い照射スケジュールである。
【００８３】
発明者らの知見によれば、認知症の程度が重い第二対象者に対しては、一般的な光療法と同等またはそれ以上の積算照度の照射スケジュールを適用することにより、光療法の効果を高めることができる、したがって、上記のような第一照射スケジュール及び第二照射スケジュールによれば、利用者の認知症の程度に応じた光療法が実現される。
【００８４】
なお、光源部４３が調色に対応している場合、第一の光の色と、第二の光の色とが異なってもよい。第一の光の色は、例えば、第二の光の色よりも青色成分が少なくてもよい。この場合、第一の光は、具体的には、例えば、上述の第二色温度を有する光であり、第二の光は、例えば、上述の第一色温度を有する光である。
【００８５】
第一の光の色が第二の光の色よりも青色成分が少ないことは、第一照射スケジュールの積算照度が第二照射スケジュールの積算照度よりも高いことと類似の効果を奏する。したがって、第一の光の色が第二の光の色よりも青色成分が少ないことによっても、利用者の認知症の程度に応じた光療法が実現される。
【００８６】
なお、第一の光の色が第二の光の色よりも青色成分が少ない場合、第一照射スケジュールの積算照度が第二照射スケジュールの積算照度よりも高いことは必須ではなく、第一照射スケジュール及び第二照射スケジュールは積算照度または照度の時間変化については同一であってもよい。
【００８７】
［具体例３］
具体例３では、健康状態情報が利用者の活動量を示す場合について説明する。
【００８８】
まず、健康状態取得装置１０ａについて説明する。健康状態情報が利用者の活動量を示す場合、健康状態取得装置１０ａ（健康状態取得部１１）は、例えば、利用者の体に装着される活動量計、または、スマートフォンなどの活動量計と同等の機能を有する携帯端末である。
【００８９】
次に、判断部３２ａによる判断基準について説明する。健康状態情報が利用者の活動量を示す場合、図４のステップＳ３３において、通信部３３は、利用者Ａ〜Ｄの活動量を示す健康状態情報を取得する。図４のステップＳ３４においては、判断部３２ａは、取得された健康状態情報に基づいて、利用者Ａ〜Ｄのそれぞれが、活動量が多い第一対象者、及び、第一対象者よりも活動量が少ない第二対象者のいずれであるかの判断を行う。判断部３２ａは、例えば、閾値により第一対象者及び第二対象者を判断する。判断部３２ａは、活動量が閾値以上である利用者を第一対象者であると判断し、活動量が閾値未満である利用者を第二対象者であると判断する。
【００９０】
健康状態情報が利用者の活動量を示す場合に用いられる第一照射スケジュール及び第二照射スケジュールは、健康状態情報が利用者の認知症の程度を示す場合と同様である。第一照射スケジュールと第二照射スケジュールとを比較すると、第一照射スケジュールは、所定期間（例えば第一期間及び第二期間を合わせた期間）における積算照度が第二照射スケジュールよりも高い照射スケジュールである。
【００９１】
発明者らの知見によれば、活動量が少ない第二対象者に対しては、一般的な光療法と同等またはそれ以上の積算照度の照射スケジュールを適用することにより、光療法の効果を高めることができる。したがって、上記のような第一照射スケジュール及び第二照射スケジュールによれば、利用者の活動量に応じた光療法が実現される。
【００９２】
なお、上述のように、第一の光の色が第二の光の色よりも青色成分が少ないことは、第一照射スケジュールの積算照度が第二照射スケジュールの積算照度よりも高いことと類似の効果を奏する。したがって、健康状態情報が利用者の活動量を示す場合も、第一の光の色が、第二の光の色よりも青色成分が少ないことによって、利用者の活動量に応じた光療法が実現される。
【００９３】
［変形例１］
上記実施の形態１では、図１に示されるように、第一エリア５１の大きさ及び第二エリア５２の大きさはほぼ同じであった。ここで、照射制御部４２は、判断部３２ａによって第一対象者であると判断された利用者の数、及び、判断部３２ａによって第二対象者であると判断された利用者の数に基づいて、第一エリア５１及び第二エリア５２の大きさを変更してもよい。図１３は、照射制御部４２による、第一エリア５１及び第二エリア５２の大きさの変更を説明するための図である。
【００９４】
例えば、照射制御部４２は、判断部３２ａから第一対象者の数及び第二対象者の数を示す情報を取得し、第一対象者及び第二対象者の人数比に基づいて、第一エリア５１及び第二エリアの数を変更する。照射制御部４２は、具体的には、第一の光を出射させる光源の数、及び、第二の光を出射させる光源の数を制御する。
【００９５】
例えば、第一対象者の数及び第二対象者の数がほぼ等しい場合には、照射制御部４２は、図１に示されるように、２つの第一光源４３ａ及び第二光源４３ｂに第一の光を出射させ、２つの第三光源４３ｃ及び第四光源４３ｄに第二の光を出射させる。つまり、照射制御部４２は、第一の光を出射する光源の数、及び、第二の光を出射する光源の数を等しくする。これにより、第一エリア５１の大きさ及び第二エリア５２の大きさがほぼ等しくなる。
【００９６】
一方で、第一対象者の数が第二対象者の数よりも少ない場合には、照射制御部４２は、図１３に示されるように、第一光源４３ａに第一の光を出射させ、３つの第二光源４３ｂ、第三光源４３ｃ、及び第四光源４３ｄに第二の光を出射させる。つまり、照射制御部４２は、第一の光を出射する光源の数を、第二の光を出射する光源の数よりも減らす。これにより、第一エリア５１の大きさが第二エリア５２の大きさよりも小さくなる。図１３の例では、第一対象者の数：第二対象者の数＝第一エリア５１の大きさ（面積）：第二エリア５２の大きさ（面積）＝１：３となっている。
【００９７】
以上のような照射制御部４２の制御によれば、第一エリア５１及び第二エリア５２の大きさは、第一対象者の数及び第二対象者の数に基づいて適切に変更される。
【００９８】
［変形例２］
上記実施の形態１では、照射制御部４２は、１つの空間５０内に第一エリア５１及び第二エリア５２の２つのエリアを形成したが、照射スケジュールが異なる３つ以上の照射エリアを形成してもよい。
【００９９】
この場合、判断部３２ａは、利用者を健康状態に応じて３つ以上の属性のいずれに属するか（利用者が第一対象者、第二対象者、第三対象者・・のいずれであるか）を判断する。判断部３２ａは、例えば、睡眠状態、認知症の程度、及び、活動量のうち１つに基づいて、利用者が３つ以上の属性（例えば、認知症の程度が軽度、中間、重度、の３つの属性）のいずれに属する。
【０１００】
また、判断部３２ａは、睡眠状態、認知症の程度、及び、活動量のうち２つ以上に基づいて、利用者が３つ以上の属性のいずれに属するかを判断してもよい。例えば、判断部３２ａは、睡眠状態が前進傾向にあるか否か、及び、認知症の程度が重いか否かを判断することにより、利用者が４つの属性（睡眠相後退かつ軽度認知症、睡眠相後退かつ重度認知症、睡眠相前進かつ軽度認知症、及び、睡眠相前進かる重度認知症）のいずれに属するかを判断してもよい。
【０１０１】
睡眠相後退かつ重度認知症と判断された利用者向けの照射スケジュール、及び、睡眠相前進かつ軽度認知症であると判断された利用者向けの照射スケジュールは、図１４及び図１５に示されるような照射スケジュールとなる。図１４は、睡眠相後退かつ重度認知症であると判断された利用者向けの照射スケジュールであり、図１５は、睡眠相前進かつ軽度認知症であると判断された利用者向けの照射スケジュールを示す図である。
【０１０２】
以上のように、１つの空間５０に照射スケジュールが異なる３つ以上のエリアが形成されることにより、照明システム１００は、利用者の健康状態により細かく対応した光療法を行うことができる。
【０１０３】
［変形例３］
上記実施の形態１では、提示装置３０は、ディスプレイ（提示部３４）上に利用者Ａ〜Ｄが第一対象者であるか第二対象者であるかの提示を行ったが、提示部３４の具体的態様は、特に限定されない。提示装置３０は、例えば、光の投射により利用者Ａ〜Ｄが第一対象者であるか第二対象者であるかの提示を行ってもよい。この場合、提示部３４は、光を投射することができる光源ユニットである。また、提示装置３０は、スタッフＳではなく、利用者Ａ〜Ｄに直接提示を行ってもよい。図１６は、提示装置３０による提示の変形例を示す図である。
【０１０４】
図１６の例では、提示装置３０は、空間５０に入室した利用者Ａの顔を含む画像を撮像する撮像部３６をさらに備える。制御部３２は、撮像部３６によって撮像された画像を画像処理（顔認識処理）することにより、空間５０に入室した利用者を特定することができる。この場合、複数の利用者のＩＤと、当該利用者の顔に対応する顔認識パターンとが対応付けられたデータベースが記憶部３５にあらかじめ記憶されており、制御部３２は、撮像された画像から得られる認識パターンと記憶部３５に記憶された顔認識パターンとを照合することにより、空間５０に入室した利用者Ａを特定することができる。
【０１０５】
図１６においては、提示部３４は、光を投射する光投射部であり、空間５０に入室した利用者Ａの近傍にビームスポット３７を形成することができる。判断部３２ａは、特定された利用者Ａが第一対象者であるか第二対象者であるかを判断し、提示部３４は、利用者Ａが第一対象者であると判断されると、ビームスポット３７を第一エリア５１側に移動させる。提示部３４は、利用者Ａが第二対象者であると判断されると、ビームスポット３７を第二エリア５２側に移動させる。これにより、提示装置３０は、利用者Ａを第一エリア５１または第二エリア５２に誘導することができる。なお、このような提示に基づいて、スタッフＳが利用者Ａを誘導してもよい。
【０１０６】
［実施の形態１の効果等］
照明システム１００は、光源部４３と、第一照射スケジュールにしたがって光源部４３に第一の光を出射させることにより空間５０内に第一の光が照射される第一エリア５１を形成し、第一エリア５１の形成と並行して、第一照射スケジュールとは異なる第二照射スケジュールにしたがって光源部４３に第二の光を出射させることにより、空間５０内に第二の光が照射される第二エリア５２を形成する照射制御部４２と、利用者の健康状態を示す健康状態情報を取得する通信部３３と、取得された健康状態情報に基づいて、利用者が、第一の光の照射対象となる第一対象者、及び、第二の光の照射対象となる第二対象者のいずれであるかの判断を行う判断部３２ａと、上記判断の結果を提示する提示部３４とを備える。通信部３３は、取得部の一例である。
【０１０７】
これにより、スタッフＳが提示部３４の提示に基づいて利用者を第一エリア５１または第二エリア５２に誘導すれば、利用者は、当該利用者の健康状態に応じた光療法を受けることができる。つまり、照明システム１００は、利用者の健康状態に応じて光療法を行うことができる。
【０１０８】
また、判断部３２ａは、複数の利用者のそれぞれが、第一対象者であるか第二対象者であるかの判断を行い、照射制御部４２は、判断部３２ａによって第一対象者であると判断された利用者の数、及び、判断部３２ａによって第二対象者であると判断された利用者の数に基づいて、第一エリア５１及び第二エリア５２の大きさを変更してもよい。
【０１０９】
これにより、照明システム１００は、第一エリア５１及び第二エリア５２の大きさを第一対象者であると判断された利用者の数及び第二対象者であると判断された利用者の数に基づいて適切に変更することができる。
【０１１０】
また、通信部３３は、利用者の睡眠状態を示す健康状態情報を取得してもよい。判断部３２ａは、取得された健康状態情報に基づいて、利用者が、第一対象者、及び、第一対象者よりも睡眠相が前進傾向である第二対象者のいずれであるかの判断を行ってもよい。第一照射スケジュールは、第一エリア５１における照度を、少なくとも一部が午前中に属する第一期間Ｔ１１において午後に属する第二期間Ｔ１２よりも明るくする照射スケジュールであってもよい。第二照射スケジュールは、第二エリア５２における照度を、少なくとも一部が午前中に属する第三期間Ｔ１３において午後に属する第四期間Ｔ１４よりも暗くする照射スケジュールであってもよい。
【０１１１】
これにより、第一対象者であると判断された利用者は、午後よりも午前中に明るい光を浴びることで、生活リズムを維持して快適に過ごすことができる。第二対象者であると判断された利用者は、午後の早い時間帯に明るい光を浴びることで、睡眠相を通常状態（睡眠相が前進傾向でない状態）に近づけ、生活リズムの改善を図ることができる。
【０１１２】
また、第一照射スケジュールは、第一期間Ｔ１１に第一の色の第一の光を照射させ、第二期間Ｔ１２に第一の色よりも青色の成分が少ない第二の色の第一の光を照射させる照射スケジュールであってもよい。第二照射スケジュールは、第三期間Ｔ１３に第二の色の第二の光を照射させ、第四期間Ｔ１４に第一の色の第二の光を照射させる照射スケジュールであってもよい。
【０１１３】
これにより、光療法の効果を高めることができる。
【０１１４】
また、通信部３３は、利用者の認知症の程度を示す健康状態情報を取得してもよい。判断部３２ａは、取得された健康状態情報に基づいて、利用者が、第一対象者、及び、第一対象者よりも認知症の程度が重い第二対象者のいずれであるかの判断を行ってもよい。第一照射スケジュールは、所定期間における積算照度が第二照射スケジュールよりも高い照射スケジュールであってもよい。
【０１１５】
これにより、認知症の程度が重い第二対象者と判断された利用者に対して、第一照射スケジュールよりも積算照度が高い第二照射スケジュールが適用されるため、光療法の効果を高めることができる。
【０１１６】
また、通信部３３は、利用者の活動量を示す健康状態情報を取得し、判断部３２ａは、取得された健康状態情報に基づいて、利用者が、第一対象者、及び、第一対象者よりも活動量が低い第二対象者のいずれであるかの判断を行ってもよい。第一照射スケジュールは、所定期間における積算照度が第二照射スケジュールよりも高い照射スケジュールであってもよい。
【０１１７】
これにより、活動量の低い第二対象者と判断された利用者に対して、第一照射スケジュールよりも積算照度が高い第二照射スケジュールが適用されるため、光療法の効果を高めることができる。
【０１１８】
また、第一照射スケジュールは、第一エリア５１における照度を、少なくとも一部が午前中に属する第一期間Ｔ２１において午後に属する第二期間Ｔ２２よりも明るくする照射スケジュールであってもよい。第二照射スケジュールは、第二エリア５２における照度を、第一期間Ｔ２１において第二期間Ｔ２２よりも明るくする照射スケジュールであってもよい。
【０１１９】
これにより、光療法の効果を高めることができる。
【０１２０】
また、第一の光の色は、第二の光の色よりも青色成分が少なくてもよい。
【０１２１】
これにより、光療法の効果を高めることができる。
【０１２２】
また、提示部３４は、判断の結果を表示するディスプレイであってもよい。
【０１２３】
これにより、スタッフＳは、利用者が第一対象者であるか第二対象者であるかを画像により認識することができる。
【０１２４】
（実施の形態２）
［照明システムの概要］
次に、実施の形態２に係る照明システムの構成について説明する。図１７は、実施の形態２に係る照明システムの概要を示す図である。図１８は、実施の形態２に係る照明システムの機能構成を示すブロック図である。以下の実施の形態２では、実施の形態１との相違点を中心に説明が行われ、実施の形態１と重複する説明は適宜省略される。
【０１２５】
図１７に示されるように、実施の形態２に係る照明システム１００ａでは、空間５０内に１つの照射エリア５３が形成されている。つまり、照射制御部４２は、第一照射スケジュールにしたがって光源部４３に光を出射させることにより空間５０内に光が照射される照射エリア５３を形成する。このとき照射される光は、光療法用の明るい光（例えば、図７の照度Ｌ１１の光）である。つまり、空間５０内は、常に、光療法用の光が照射されている。
【０１２６】
図１８に示されるように、実施の形態２に係る照明システム１００ａの制御部３２は、決定部３２ｂを備える。決定部３２ｂは通信部３３によって取得された睡眠状態を示す情報に基づいて、利用者Ａ〜Ｄを照射エリア５３に滞在させる時間帯を決定する。
【０１２７】
決定部３２ｂは、具体的には、取得された健康状態情報に基づいて、利用者Ａが、睡眠相が前進傾向でない第一対象者である場合には、第一期間を、利用者Ａが照射エリア５３に滞在すべき時間帯として決定する。第一期間は、少なくとも一部が午前中に属する期間であり、例えば、８：００頃から１４：００頃までの期間である。決定部３２ｂは、利用者Ａが第一対象者よりも睡眠相が前進傾向である第二対象者である場合、第二期間を、利用者Ａが照射エリア５３に滞在すべき時間帯として決定する。第二期間は、全部が午後に属する期間であって、例えば、１６：００頃から１９：００頃までの期間である。
【０１２８】
提示部３４は、決定部３２ｂによって決定された時間帯を提示する。図１９は、提示部３４によって表示される画像の一例を示す図である。図１９は、利用者Ａ及び利用者Ｂが第一対象者であり、利用者Ｃ及び利用者Ｄが第二対象者である場合の画像を示している。提示部３４が図１９に示されるように時間帯を提示することにより、スタッフＳは、提示された時間帯に利用者Ａ〜Ｄを空間５０に誘導することができる。
【０１２９】
上述のように、第一対象者は、睡眠相が前進傾向でないため、午後よりも午前中に明るい光を浴びることで、生活リズムを維持して快適に過ごすことができる。一方、第二対象者は、睡眠相が前進傾向であるため、午後の早い時間帯に明るい光を浴びることで、睡眠相を通常状態（睡眠相が前進傾向でない状態）に近づけることができる。つまり、第二対象者の生活リズムの改善が図られる。
【０１３０】
したがって、図１９のように光療法に適した時間帯が提示されることにより、照明システム１００ａは、スタッフＳに専門的な知識がない場合であっても、利用者Ａ〜Ｄの睡眠状態に応じて光療法を行うことができる。
【０１３１】
［実施の形態２の効果等］
以上説明したように、照明システム１００ａは、光源部４３と、光源部４３に光を出射させることにより空間５０内に光が照射される照射エリア５３を形成する照射制御部４２と、利用者の睡眠状態を示す情報を取得する通信部３３と、取得された情報に基づいて、利用者を照射エリア５３に滞在させる時間帯を決定する決定部３２ｂと、決定部３２ｂによって決定された時間帯を提示する提示部３４とを備える。
【０１３２】
これにより、スタッフＳが提示部３４によって提示された時間帯に利用者を照射エリア５３に誘導すれば、利用者は、当該利用者の睡眠状態に応じた光療法を受けることができる。つまり、照明システム１００ａは、利用者の睡眠状態に応じて光療法を行うことができる。
【０１３３】
また、決定部３２ｂは、取得された情報に基づいて、利用者が第一対象者である場合には少なくとも一部が午前中に属する第一期間を時間帯として決定してもよい。決定部３２ｂは、利用者が第一対象者よりも睡眠相が前進傾向である第二対象者である場合、午後に属する第二期間を時間帯として決定してもよい。
【０１３４】
これにより、第一対象者であると判断された利用者は、午後よりも午前中に明るい光を浴びることで、生活リズムを維持して快適に過ごすことができる。第二対象者であると判断された利用者は、午後の早い時間帯に明るい光を浴びることで、睡眠相を通常状態（睡眠相が前進傾向でない状態）に近づけ、生活リズムの改善を図ることができる。
【０１３５】
（その他の実施の形態）
以上、実施の形態に係る照明システムについて説明したが、本発明は、上記実施の形態に限定されるものではない。
【０１３６】
例えば、上記実施の形態で説明した装置間の通信方法については特に限定されるものではない。装置間で無線通信が行われる場合、無線通信の方式（通信規格）は、例えば、９２０ＭＨｚ帯の周波数を利用した特定小電力無線であるが、Ｚｉｇｂｅｅ（登録商標）、Ｂｌｕｅｔｏｏｔｈ（登録商標）または、無線ＬＡＮ（Ｌｏｃａｌ  Ａｒｅａ  Ｎｅｔｗｏｒｋ）などである。また、装置間においては、無線通信に代えて、有線通信が行われてもよい。有線通信は、具体的には、電力線搬送通信（ＰＬＣ：Ｐｏｗｅｒ  Ｌｉｎｅ  Ｃｏｍｍｕｎｉｃａｔｉｏｎ）または有線ＬＡＮを用いた通信などである。
【０１３７】
また、例えば、上記実施の形態において、特定の処理部が実行する処理を別の処理部が実行してもよい。また、複数の処理の順序が変更されてもよいし、複数の処理が並行して実行されてもよい。
【０１３８】
また、照明システムが備える構成要素の複数の装置への振り分けは、一例である。例えば、管理装置が判断部及び決定部を備え、提示装置は、管理装置から判断結果を取得して提示を行ってもよい。また、照明システムは、管理装置を備えなくてもよく、この場合、提示装置は、健康状態取得装置から直接健康状態情報を取得してもよい。
【０１３９】
また、上記実施の形態において、制御部などの構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０１４０】
また、制御部などの構成要素は、回路（または集積回路）でもよい。これらの回路は、全体として１つの回路を構成してもよいし、それぞれ別々の回路でもよい。また、これらの回路は、それぞれ、汎用的な回路でもよいし、専用の回路でもよい。
【０１４１】
また、本発明の全般的または具体的な態様は、システム、装置、方法、集積回路、コンピュータプログラムまたはコンピュータ読み取り可能なＣＤ−ＲＯＭなどの記録媒体で実現されてもよい。また、システム、装置、方法、集積回路、コンピュータプログラム及び記録媒体の任意な組み合わせで実現されてもよい。例えば、提示装置としてスマートフォンまたはタブレット端末などの汎用の情報端末が利用される場合、本発明は、情報端末（コンピュータ）を提示装置として機能させるためのアプリケーションプログラムとして実現されてもよい。また、本発明は、照明システムが実行する情報提示方法として実現されてもよい。また、本発明は、照明システムが備える提示装置として実現されてもよい。
【０１４２】
その他、各実施の形態に対して当業者が思いつく各種変形を施して得られる形態、または、本発明の趣旨を逸脱しない範囲で各実施の形態における構成要素及び機能を任意に組み合わせることで実現される形態も本発明に含まれる。
【符号の説明】
【０１４３】
３３  通信部（取得部）
３２ａ  判断部
３２ｂ  決定部
３４  提示部
４２  照射制御部
４３  光源部
５０  空間
５１  第一エリア
５２  第二エリア
５３  照射エリア
１００、１００ａ  照明システム
Ａ、Ｂ、Ｃ、Ｄ  利用者
Ｌ１１、Ｌ１２、Ｌ１３、Ｌ１４、Ｌ２１、Ｌ２２、Ｌ２３、Ｌ２４  照度
Ｔ１１、Ｔ２１  第一期間
Ｔ１２、Ｔ２２  第二期間
Ｔ１３  第三期間
Ｔ１４  第四期間
【図１】
2018125116.tif 000003
【図２】
2018125116.tif 000004
【図３】
2018125116.tif 000005
【図４】
2018125116.tif 000006
【図５】
2018125116.tif 000007
【図６】
2018125116.tif 000008
【図７】
2018125116.tif 000009
【図８】
2018125116.tif 000010
【図９】
2018125116.tif 000011
【図１０】
2018125116.tif 000012
【図１１】
2018125116.tif 000013
【図１２】
2018125116.tif 000014
【図１３】
2018125116.tif 000015
【図１４】
2018125116.tif 000016
【図１５】
2018125116.tif 000017
【図１６】
2018125116.tif 000018
【図１７】
2018125116.tif 000019
【図１８】
2018125116.tif 000020
【図１９】
2018125116.tif 000021